(57)【要約】【課題】自動調心ころ軸受の組み立て性を良くし、また、保持器に取り付ける環状部材によって軸受内部への異物侵入を防止すると共に当該環状部材の取り付け精度を良くし、さらに軸受内部すきまの測定を可能にする。【解決手段】金属板製のかご形の保持器４０の採用により、内輪１０、多数のころ３０及び保持器４０のアセンブリを外輪２０の内方に挿入可能として、軸受の組み立て性を良くする。保持器４０のフランジ４４と、フランジ４４に取り付ける環状のシールド板５０の突出部５１とにより、異物侵入を防止する。シールド板５０の裏側面５２とフランジ４４との全周接触により、シールド板５０の取り付け精度を良くする。球面軌道２１を含む仮想球面Ｓよりも小径な突出部５１とすることにより、すきまゲージを球面軌道２１ところ３０間に挿入可能とする。【選択図】図１
2019215058.tif 000002
【特許請求の範囲】
【請求項１】
二列の軌道（１１）を有する内輪（１０）と、球面軌道（２１）を有する外輪（２０）と、前記内輪（１０）と外輪（２０）との間に介在する二列のころ（３０）と、前記ころ（３０）を保持する保持器（４０，７０，９０）とを備える自動調心ころ軸受において、
前記保持器（４０，７０，９０）に取り付けられた環状のシールド板（５０，６０，８０）をさらに備え、
前記保持器（４０，７０，９０）が、前記ころ（３０）に対して前記内輪（１０）の中央側に位置する第一環状部（４１）と、当該ころ（３０）に対して前記第一環状部（４１）と反対側に位置する第二環状部（４２）と、前記第一環状部（４１）と前記第二環状部（４２）との間を区切る複数の柱部（４３）とを一体に有する金属板からなり、前記ころ（３０）が、周方向に隣り合う柱部（４３）間に収容されており、
前記第二環状部（４２）が、周方向全周に亘って前記柱部（４３）よりも前記内輪（１０）側へ突出するフランジ（４４，７１，９１）を有し、前記シールド板（５０，６０，８０）が、前記第二環状部（４２）に取り付けられており、
前記シールド板（５０，６０，８０）が、前記第二環状部（４２）と前記外輪（２０）間の隙間に対向する突出部（５１）と、前記フランジ（４４，７１，９１）と周方向全周に亘って接触する裏側面（５２，６２，８１）とを有し、前記突出部（５１）が、前記球面軌道（２１）を含む仮想球面よりも小径に設けられていることを特徴とする自動調心ころ軸受。
【請求項２】
前記保持器（４０，７０，９０）の前記第二環状部（４２）が、前記ころ（３０）の中心軸の延長上から前記フランジ（４４，７１，９１）の内周側に及ぶ径方向範囲で前記シールド板（５０，６０，８０）の裏側面（５２，６２，８１）と重なる表側面（４５，７３）と、前記フランジ（４４，７１，９１）の内周に向かって前記ころ（３０）へ接近する側へ傾斜した裏側面（４６，７４，９３）とを有する請求項１に記載の自動調心ころ軸受。
【請求項３】
前記シールド板（６０）が、前記フランジ（７１）の内方端部（７２）に径方向及び軸方向に引っ掛かる係止部（６１）を有し、
前記シールド板（６０）が、前記係止部（６１）と前記フランジ（７１）の内方端部（７２）の引っ掛かりによって当該フランジ（７１）に取り付けられている請求項１又は２に記載の自動調心ころ軸受。
【請求項４】
前記シールド板（８０）が、前記裏側面（８１）から軸方向に突き出た突起部（８２）を有し、前記保持器（９０）の前記フランジ（９１）が、前記突起部（８２）に嵌合する嵌合口部（９２）を有し、
前記シールド板（８０）が、前記突起部（８２）と前記嵌合口部（９２）の嵌合によって前記フランジ（９１）に取り付けられている請求項１又は２に記載の自動調心ころ軸受。
【請求項５】
前記シールド板（５０）が、前記保持器（４０）のフランジ（４４）に接着又は溶接されている請求項１又は２に記載の自動調心ころ軸受。
【発明の詳細な説明】
【技術分野】
【０００１】
この発明は、自動調心ころ軸受に関する。
【背景技術】
【０００２】
自動調心ころ軸受は、主にラジアル荷重を受けるころ軸受の一種であって、所定の調心性を有するものであり、比較的大荷重を支える用途の産業機械において使用されている。
【０００３】
一般に、自動調心ころ軸受は、二列の軌道を有する内輪と、球面軌道を有する外輪と、前記内輪と外輪との間に介在する二列のころと、前記ころを保持する保持器とを備える。
【０００４】
従来、異物が多い場所等では、外輪の内周端部に圧入されたシールを備える自動調心ころ軸受が使用されている（例えば、特許文献１）。このシールは、二列のころの全てを内輪と外輪間に配置し終えた軸受組み立て完了状態において外輪に圧入されるが、その際、シールが歪に変形しないようにしなければならない。その煩わしさを避けるため、軸受組み立て完了状態においてシールを保持器に着脱可能とした自動調心ころ軸受もある（特許文献２）。
【０００５】
特許文献２に開示された自動調心ころ軸受は、外周両端部に鍔部を有する内輪と、二列のころを保持するくし形の保持器を備え、保持器に形成された複数のくし歯状柱部の先端面と、シールとを複数本のねじ部材で締結するようになっている。
【先行技術文献】
【特許文献】
【０００６】
【特許文献１】特開平１１−３４２４５９号公報
【特許文献２】特開２００７−１９８５４０号公報
【発明の概要】
【発明が解決しようとする課題】
【０００７】
自動調心ころ軸受を適切に使用するには、自動調心ころ軸受が軸を支持する使用状態において軸受内部すきまを測定することが重要である。その軸受内部すきまは、外輪の球面軌道ところ間にすきまゲージを挿入することで測定することができる。
【０００８】
ところが、特許文献１の自動調心ころ軸受は、外輪の内周端部に圧入されたシールを備えるので、使用状態のときに、すきまゲージを外輪の球面軌道ところ間に挿入することができない。軸受内部すきまを測定後にシールを外輪に取り付けることが考えられるが、軸とハウジング間に配置された使用状態でシールを外輪に圧入することになり、その作業が困難である。
【０００９】
一方、特許文献２の自動調心ころ軸受は、シールと保持器をねじ部材で締結する取り付け構造を採用したものなので、シールを保持器から分離した状態ですきまゲージを外輪の球面軌道ところ間に挿入し、軸受内部すきまを測定した後、シールと保持器をねじ止めすることが可能である。
【００１０】
しかしながら、特許文献２の自動調心ころ軸受は、くし形の保持器を備えるので、軸受組み立て時に内輪及び保持器を外輪に対して９０°交差させた状態で、各列のころの全部を保持器に挿入することを要し、軸受の組み立て性が悪くなる。また、くし歯状の複数の柱部の先端面にシールをねじ部材で締結する取り付け構造であるから、保持器とシールの接触面積が限られており、シールの取り付け精度に不安がある。また、複数本のねじ部材を要し、部品点数が多くなる。
【００１１】
上述の背景に鑑み、この発明が解決しようとする課題は、自動調心ころ軸受の組み立て性を良くし、また、保持器に取り付ける環状部材によって軸受内部への異物侵入を防止すると共に当該環状部材の取り付け精度を良くし、さらに軸受内部すきまの測定を可能にすることである。
【課題を解決するための手段】
【００１２】
上記の課題を達成するため、この発明は、二列の軌道を有する内輪と、球面軌道を有する外輪と、前記内輪と外輪との間に介在する二列のころと、前記ころを保持する保持器とを備える自動調心ころ軸受において、前記保持器に取り付けられた環状のシールド板をさらに備え、前記保持器が、前記ころに対して前記内輪の中央側に位置する第一環状部と、当該ころに対して前記第一環状部と反対側に位置する第二環状部と、前記第一環状部と前記第二環状部との間を区切る複数の柱部とを一体に有する金属板からなり、前記ころが、周方向に隣り合う柱部間に収容されており、前記第二環状部が、周方向全周に亘って前記柱部よりも前記内輪側へ突出するフランジを有し、前記シールド板が、前記第二環状部に取り付けられており、前記シールド板が、前記第二環状部と前記外輪間の隙間に対向する突出部と、前記フランジと周方向全周に亘って接触する裏側面とを有し、前記突出部が、前記球面軌道を含む仮想球面よりも小径に設けられている構成を採用した。
【００１３】
上記構成によれば、いわゆるかご形の保持器を採用しているので、保持器と内輪の軌道とでころの脱落を阻止することが可能である。このため、軸受組み立て時に内輪及び保持器を外輪に対して９０°交差させた状態で一列のころの全部を保持器に挿入することが不要になり、これにより、軸受の組み立て性を良くすることができる。また、保持器の第二環状部に周方向全周に亘って柱部よりも内輪側へ突出するフランジを形成する場合、保持器の第二環状部と内輪間の隙間をフランジで狭くし、この隙間からの異物侵入を防止することができる。ここで、金属板製の保持器の場合、その第二環状部において外輪側へ曲がるフランジ状をさらに追加することは、加工が難しくなる。一方、第二環状部に環状のシールド板を取り付ける場合、その環状部材としてのシールド板には、第二環状部と外輪間の隙間に対向する突出部を設け、シールド板と外輪間の隙間を突出部で狭くし、この隙間からの異物侵入を防止することができる。また、シールド板が、第二環状部のフランジと周方向全周に亘って接触する裏側面を有するため、シールド板と第二環状部との接触面積を広くし、シールド板の取り付け精度を良くすることができる。また、シールド板の突出部が外輪の球面軌道を含む仮想球面よりも小径に設けられているため、シールド板が保持器に取り付けられた使用状態でも、突出部と外輪間の隙間からすきまゲージを挿入して軸受内部すきまを測定することが可能である。
【００１４】
前記保持器の前記第二環状部が、前記ころの中心軸の延長上から前記フランジの内周側に及ぶ径方向範囲で前記シールド板の裏側面と重なる表側面と、前記フランジの内周に向かって前記ころに接近する側へ傾斜した裏側面とを有するとよい。このようにすると、第二環状部の表側面とシールド板の裏側面が広い径方向範囲で重なるので、これら両面が全周に亘って接触する面積を広くしつつ、第二環状部の裏側面の傾斜化によりフランジの内周側の肉厚を大きくし、フランジの強度を高くすることができる。
【００１５】
前記シールド板が、前記フランジの内方端部に径方向及び軸方向に引っ掛かる係止部を有し、前記シールド板が、前記係止部と前記フランジの内方端部の引っ掛かりによって当該フランジに取り付けられているとよい。このようにすると、フランジの内周上を利用してシールド板を取り付けるので、シールド板とフランジを径方向の広い範囲で接触させることができると共に、シールド板の取り付けにねじ部材を使用せずに済む。
【００１６】
また、前記シールド板が、前記裏側面から軸方向に突き出た突起部を有し、前記保持器の前記フランジが、前記突起部に嵌合する嵌合口部を有し、前記シールド板が、前記突起部と前記嵌合口部の嵌合によって前記フランジに取り付けられているとよい。このようにすると、シールド板の取り付けにねじ部材を使用せずに済む。
【００１７】
また、前記シールド板が、前記保持器のフランジに接着又は溶接されているとよい。このようにすると、シールド板の取り付けにねじ部材を使用せずに済む。
【発明の効果】
【００１８】
上述のように、この発明は、上記構成の採用により、自動調心ころ軸受の組み立て性を良くし、また、保持器に取り付ける環状部材によって軸受内部への異物侵入を防止すると共に当該環状部材の取り付け精度を良くし、さらに軸受内部すきまの測定を可能にすることができる。
【図面の簡単な説明】
【００１９】
【図１】この発明の第一実施形態に係る自動調心ころ軸受を示す断面図
【図２】図１の自動調心ころ軸受の組み立て工程を示す図
【図３】図２の続きの組み立て工程を示す図
【図４】図３の続きの組み立て工程を示す図
【図５】図１のシールド板を保持器に溶接した例を示す断面図
【図６】この発明の第二実施形態に係る自動調心ころ軸受を示す断面図
【図７】この発明の第三実施形態に係る自動調心ころ軸受を示す断面図
【発明を実施するための形態】
【００２０】
この発明の一例としての第一実施形態に係る自動調心ころ軸受を添付図面の図１〜図５に基づいて説明する。
【００２１】
図１に示す自動調心ころ軸受は、二列の軌道１１を有する内輪１０と、球面軌道２１を有する外輪２０と、内輪１０の軌道１１と外輪２０の球面軌道２１との間に配置された二列のころ３０と、ころ３０を列ごとに保持する対の保持器４０と、保持器４０に取り付けられた環状のシールド板５０とを備える。
【００２２】
以下、この自動調心ころ軸受の設計上の回転中心である軸受中心軸に沿った方向のことを「軸方向」という。また、その軸受中心軸に直角な方向のことを「径方向」という。また、その軸受中心軸周りの円周方向のことを「周方向」という。軸方向は、図１において左右方向に相当し、径方向は、図１において上下方向に相当する。
【００２３】
内輪１０は、外周側に二列一対の軌道１１を有する環状の軸受部品からなる。外輪２０は、内周側に軸受中心軸上に中心をおいた単列の球面軌道２１を有する環状の軸受部品からなる。二列のころ３０のうち、第一列のころ３０は、第一の軌道１１と球面軌道２１間に介在し、第二列のころ３０は、第二の軌道１１と球面軌道２１間に介在する。
【００２４】
ころ３０は、凸面ころからなる。ころ３０は、球面状の転動面３１を有する。軌道１１と球面軌道２１は、それぞれ転動面３１と一点で接触する曲面になっている。軸受回転中、二列のころ３０の転動面３１が二列の軌道１１と球面軌道２１間を転がることにより、所定の調心性が発揮されるようになっている。
【００２５】
内輪１０の外周のうち、軌道１１から、当該軌道１１に最寄りの面取り部までの間の外周端部は、当該軌道１１よりも小径に設けられている。内輪１０の外周のうち、二列の軌道１１間に位置する外周中央部は、周方向全周に連続しかつ軸方向に沿う円筒面状に形成されている。内輪１０の外径（最大外径）は、内輪１０の外周中央部において規定されている。ころ３０のスキュー挙動は、対の保持器４０同士の突き合いで抑えられるようになっている。なお、保持器同士の突き合いに代えて、二列のころを案内する中つば部を内輪に設けることや、内外輪と別体のつば輪を二列のころ間に配置することも可能である。
【００２６】
保持器４０は、一列のころ３０の各ころ３０間の周方向間隔を均等に保つ環状の軸受部品からなる（図２も参照のこと）。保持器４０は、いわゆるかご形のものである。すなわち、保持器４０は、一列のころ３０に対して内輪１０の中央側に位置する第一環状部４１と、当該一列のころ３０に対して第一環状部４１と反対側に位置する第二環状部４２と、第一環状部４１と第二環状部４２との間を区切る複数の柱部４３とを一体に有する金属板からなる。ころ３０は、周方向に隣り合う柱部４３間のポケット（空間）に収容されている。
【００２７】
柱部４３は、ころ３０の中心軸Ｃｒよりも外輪２０側で転動面３１と接触可能な周方向端面を有し、その周方向端面と転動面３１との接触によってころ３０の外輪２０側への脱落を防止可能な形状になっている。
【００２８】
第二環状部４２は、周方向全周に亘って柱部４３よりも内輪１０側へ突出するフランジ４４と、ころ３０の中心軸Ｃｒの延長上からフランジ４４の内周まで径方向に沿う表側面４５と、フランジ４４の内周に向かってころ３０へ接近する側へ傾斜した裏側面４６とを有する。
【００２９】
フランジ４４の内周は、ころ３０の転動面３１の面取り部と軸方向に対向する位置にある。このため、フランジ４４と内輪１０の外周端部との間の隙間は、保持器４０ところ３０間の案内すきまよりも僅かに小さい程度に設けられている。
【００３０】
第二環状部４２の表側面４５は、周方向全周で一定の径方向範囲にある。第二環状部４２の裏側面４６は、表側面４５と共にフランジ４４の肉厚を規定する。裏側面４６の内方の端は、フランジ４４の内周上に位置する。裏側面４６は、径方向に対して一定の傾斜角を有する。
【００３１】
保持器４０は、フランジ４４と内輪１０の外周端部との接触によって径方向に案内される。
【００３２】
保持器４０の全体は、金属板をプレス加工することによって形成されている。その金属板として、例えば、鋼板が挙げられる。
【００３３】
シールド板５０は、フランジ４４に取り付けられている。シールド板５０の全体は、径方向に沿う円環板状になっている。
【００３４】
シールド板５０は、第二環状部４２と外輪２０間の隙間ｇに対向する突出部５１と、フランジ４４と周方向全周に亘って接触する裏側面５２とを有する。隙間ｇは、第二環状部４２と外輪２０の内周間に形成された径方向の隙間である。
【００３５】
突出部５１は、軸受中心軸上に中心をもち、かつ球面軌道２１を含む仮想球面Ｓよりも小径に設けられている。すなわち、突出部５１は、外輪２０と非接触であって、仮想球面Ｓと交差しないように配置されている。
【００３６】
シールド板５０の裏側面５２は、径方向に沿う円環面状に形成されている。裏側面５２は、周方向全周に亘って一定の径方向範囲で第二環状部４２の表側面４５と軸方向に重なる。シールド板５０の裏側面５２と第二環状部４２の表側面４５とが軸方向に重なる接触範囲は、径方向においてころ３０の中心軸Ｃｒの延長上からフランジ４４の内周側に及ぶ。その接触範囲の径方向幅Ｌ１は、突出部５１の径方向長さＬ２よりも大きく、シールド板５０の姿勢を安定させるのに十分な幅をもっている。
【００３７】
シールド板５０は、裏側面５２と第二環状部４２の表側面４５とを接着することによって第二環状部４２に取り付けられている。
【００３８】
シールド板５０の全体は、樹脂によって形成されている。なお、シールド板を金属板製とし、プレス加工によって形成することも可能である。
【００３９】
実施形態に係る自動調心ころ軸受の組み立て工程を図２〜図４に示す。先ず、図２に示すように、内輪１０と保持器４０を同軸に配置し、一列のころ３０の大多数を保持器４０の柱部４３間に収容することにより、これらころ３０を保持器４０に保持させて、内輪１０、保持器４０及び多数のころ３０によるアセンブリを構成する。ここで、一列のころ３０のうち、対角配置の数本は、保持器４０に収容していない。このため、アセンブリの中心軸を外輪２０の中心軸と直交する姿勢でアセンブリを外輪２０の内方へ容易に挿入することが可能である。なお、図示例において、一列のころ３０の個数は、１７個であるが、一般には５個以上である。
【００４０】
次に、図３に示すように、外輪２０の内方でアセンブリをさらに回転させ、前述の対角配置の数本のころを保持器４０の柱部４３間に挿入可能な姿勢とし、一列のころ３０の全部を保持器４０に保持させる。
【００４１】
次に、図４に示すように、外輪２０とアセンブリを同軸に配置し、さらにシールド板５０と保持器４０とを同軸に配置し、シールド板５０の裏側面５２と保持器４０の表側面４５とを軸方向に重ねて、シールド板５０を保持器４０に取り付ける。
【００４２】
シールド板５０の取り付け手段として接着を採用する場合、予めシールド板５０の裏側面５２に接着剤を塗布し、保持器４０の表側面４５に重ねるようにすればよい。
【００４３】
シールド板５０の取り付け手段として溶接を採用することもできる。この場合、図５に例示するように、シールド板５０の内周をフランジ４４の内周近傍に溶接することにより、シールド板５０をフランジ４４に取り付けることができる。
【００４４】
なお、シールド板５０を樹脂製とする場合、シールド板５０の溶接は、レーザ溶接等により、シールド板５０のみを溶融、固化させることで実現可能である。この溶接では、シールド板５０とフランジ４４の界面において、分子・粒子が極接近することにより発現する物理的ファンデルワールス力、溶融樹脂が金属の凹面や隙間に入り込み、その後凝固をすることにより発現する機械的アンカー効果、金属酸化皮膜と樹脂が分子・原子的に接合する化学的結合の総合的な作用により、樹脂と金属の接合がなされる。レーザ溶接可能な樹脂と金属の組み合わせは様々に選択可能であり、例えば、樹脂としては、ポリアミド（ＰＡ）、ポリカーボネート（ＰＣ）、ポリエチレンテレフタレート（ＰＥＴ）等のプラスチックが挙げられ、金属としては、オーステナイト系ステンレス鋼（例えば、ＳＵＳ３０４）、鋼（例えばＳＰＣＣ）、純チタン、アルミニウム合金等が挙げられる。
【００４５】
第一実施形態に係る自動調心ころ軸受は上述のようなものであり、図１、図２に示すように、いわゆるかご形の保持器４０を採用しているので、保持器４０と内輪１０の軌道１１とでころ３０の脱落を阻止することが可能である。このため、軸受組み立て時に内輪１０及び保持器４０を外輪２０に対して９０°交差させた状態で一列のころ３０の全部を保持器４０に挿入することが不要になる。これにより、第一実施形態に係る自動調心ころ軸受は、軸受の組み立て性を良くすることができる。
【００４６】
また、第一実施形態に係る自動調心ころ軸受は、保持器４０の第二環状部４２が周方向全周に亘って柱部４３よりも内輪１０側へ突出するフランジ４４を有するため、第二環状部４２と内輪１０間の隙間をフランジ４４で狭くし、この隙間から外部の異物が軸受内部へ侵入することを防止することができる。
【００４７】
また、第一実施形態に係る自動調心ころ軸受は、保持器４０の第二環状部４２に取り付けられた環状のシールド板５０を備え、シールド板５０が第二環状部４２と外輪２０間の隙間ｇに対向する突出部５１を有するので、金属板製のかご形の保持器４０を備えながらも、シールド板５０と外輪２０間の隙間を突出部５１で狭くし、この隙間からの異物侵入も防止することができる。
【００４８】
また、第一実施形態に係る自動調心ころ軸受は、シールド板５０が保持器４０の第二環状部４２のフランジ４４と周方向全周に亘って接触する裏側面５２を有するため、シールド板５０と第二環状部４２との接触面積を広くし、シールド板５０の取り付け精度を良くすることができる。
【００４９】
また、第一実施形態に係る自動調心ころ軸受は、シールド板５０の突出部５１が外輪２０の球面軌道２１を含む仮想球面Ｓよりも小径に設けられているため、シールド板５０が保持器４０に取り付けられた使用状態でも、突出部５１と外輪２０間の隙間からすきまゲージ（図示省略）を挿入して軸受内部すきまを測定することができる。
【００５０】
また、第一実施形態に係る自動調心ころ軸受は、保持器４０の第二環状部４２が、ころ３０の中心軸Ｃｒの延長上からフランジ４４の内周側に及ぶ径方向範囲でシールド板５０の裏側面５２と重なる表側面４５と、フランジ４４の内周に向かってころ３０に接近する側へ傾斜した裏側面４６とを有するので、第二環状部４２の表側面４５とシールド板５０の裏側面５２が広い径方向範囲で重なり、これら両面４５,５２が周方向全周に亘って接触する面積を広くしつつ、第二環状部４２の裏側面４６の傾斜化によりフランジ４４の内周側の肉厚を大きくし、フランジ４４の強度を高くすることができる。
【００５１】
また、第一実施形態に係る自動調心ころ軸受は、シールド板５０が保持器４０のフランジ４４に接着又は溶接されているので、シールド板５０の取り付けにねじ部材を使用せずに済む。
【００５２】
この発明において保持器の取り付け構造は、接着や溶接に限定されるものでなく、シールド板と保持器の係止による取り付け構造を採用することも可能である。その一例としての第二実施形態を図６に基づいて説明する。なお、以下では、第一実施形態との相違点を述べるに留める。
【００５３】
第二実施形態のシールド板６０は、保持器７０のフランジ７１の内方端部７２に径方向及び軸方向に引っ掛かる係止部６１を有する。係止部６１及びフランジ７１の内方端部７２は複数存在し、これらは、周方向に均等間隔で配置されている。
【００５４】
係止部６１は、シールド板６０の内周の一部分を成し、径方向に沿う断面においてころ３０側に曲がる鉤状を成すように形成されている。シールド板６０の裏側面６２は、係止部６１に連続する。
【００５５】
フランジ７１の内方端部７２は、フランジ７１の内周の一部分を成す切欠き部になっている。内方端部７２は、第二環状部の表側面７３と裏側面７４間を軸方向に貫通し、かつフランジ７１の最小内径を規定する内周部分７５に比して外輪２０側に凹んだ形状を有する。内方端部７２のうち、表側面７３に連続する縁部は、係止部６１の内側に嵌る凸状に形成されている。
【００５６】
シールド板６０は、各係止部６１を対応の内方端部７２に押し込むことにより、対応の内方端部７２に径方向及び軸方向に引っ掛かる状態となる。全ての係止部６１を対応の内方端部７２に引っ掛けることにより、シールド板６０がフランジ７１に取り付けられる。この取り付け状態では、各係止部６１が対応の内方端部７２を軸方向に挟むことにより、シールド板６０とフランジ７１の軸方向の分離が阻止され、また、各係止部６１と対応の内方端部７２の径方向の係合により、シールド板６０が保持器７０と所定の同軸度に配置され、また、各係止部６１と対応の内方端部７２の周方向の係合により、シールド板６０がフランジ７１に対して周方向に回り止めされる。
【００５７】
このように、第二実施形態に係る自動調心ころ軸受は、フランジ７１の内周上を利用してシールド板６０を取り付けるので、シールド板６０とフランジ７１を径方向の広い範囲で接触させることができると共に、シールド板６０の取り付けにねじ部材を使用せずに済む。
【００５８】
なお、図示例では、係止部６１を周方向に分散配置で形成したが、係止部を周方向全周に形成し、フランジの内周形状を単純化してもよい。図示例のように係止部６１を分散配置で形成すると、フランジ７１に対する係止部６１の押し込みを容易化し、シールド板６０の変形を防止することができる。
【００５９】
シールド板と保持器の係止による取り付け構造の他の例としての第三実施形態を図７に基づいて説明する。
【００６０】
第三実施形態のシールド板８０は、シールド板８０の裏側面８１から軸方向に突き出た突起部８２を有する。保持器９０のフランジ９１は、突起部８２に嵌合する嵌合口部９２を有する。突起部８２及び嵌合口部９２は複数存在し、これらは、周方向に均等間隔で配置されている。
【００６１】
突起部８２は、丸軸状を成す。嵌合口部９２は、フランジ９１を軸方向に貫通する丸穴状を成す。突起部８２は、嵌合口部９２に収まる軸方向長さであり、第二環状部の裏側面９３よりも軸方向に突出しない。
【００６２】
シールド板８０は、各突起部８２を対応の嵌合口部９２と軸方向に対向させるように保持器９０と同軸に配置し、各突起部８２を対応の嵌合口部９２に同時的に圧入することにより、フランジ９１に取り付けられる。この取り付け状態では、各突起部８２と対応の嵌合口部９２との締め代をもった嵌合により、シールド板８０とフランジ９１の軸方向の分離が阻止され、また、シールド板８０が保持器９０と所定の同軸度に配置され、また、シールド板８０がフランジ９１に対して周方向に回り止めされる。
【００６３】
このように、第三実施形態に係る自動調心ころ軸受は、シールド板８０の突起部８２とフランジ９１の嵌合口部９２の嵌合によってシールド板８０がフランジ９１に取り付けられているので、シールド板８０の取り付けにねじ部材を使用せずに済む。
【００６４】
なお、図示例では、突起部８２を丸軸状とし、嵌合口部９２を貫通穴かつ丸穴状としたが、突起部や嵌合口部の形状は特に限定されない。例えば、嵌合口部を周方向に長い長穴状とし、突起部を周方向に延びる円弧状の軸部に変更してもよい。また、嵌合口部を非貫通穴状にしてもよい。また、嵌合口部を周方向全周に延びる周溝状とし、突起部を円環状に突出させてもよい。
【００６５】
今回開示された実施形態はすべての点で例示であって制限的なものではないと考えられるべきである。したがって、本発明の範囲は、特許請求の範囲によって示され、特許請求の範囲と均等の意味および範囲内でのすべての変更が含まれることが意図される。
【符号の説明】
【００６６】
１０  内輪
１１  軌道
２０  外輪
２１  球面軌道
３０  ころ
４０，７０，９０  保持器
４１  第一環状部
４２  第二環状部
４３  柱部
４４，７１，９１  フランジ
４５，７３  第二環状部の表側面
４６，７４，９３  第二環状部の裏側面
５０，６０，８０  シールド板
５１  突出部
５２，６２，８１  シールド板の裏側面
６１  係止部
７２  内方端部
８２  突起部
９２  嵌合口部
【図１】
2019215058.tif 000003
【図２】
2019215058.tif 000004
【図３】
2019215058.tif 000005
【図４】
2019215058.tif 000006
【図５】
2019215058.tif 000007
【図６】
2019215058.tif 000008
【図７】
2019215058.tif 000009